(57)【要約】【課題】  ＦＰＣにコネクタを取付ける作業をワンアクションで行え、しかも確実な接続を図り、コネクタの構造もシンプルなＦＰＣのコネクタ接続構造を提供する。【解決手段】  ＦＰＣ２が挿入される基板挿入穴３を有するオスコネクタハウジング１の背面側から前面側のコネクタ挿入穴４にかけて形成される基板挿入穴３を水平から緩やかに下方に向かい再び水平になるような側面Ｓ字状の溝に形成し、この基板挿入穴３の挿入口近傍にロック突起５を形成し、このロック突起５が係合するロック固定穴２ＢをＦＰＣ２に形成し、コネクタ挿入穴４に面した基板挿入穴３の出口幅よりも広い基板突き当て部２ＣをＦＰＣ２に形成し、このＦＰＣ２の基板突き当て部２Ｃの先に出口幅とほぼ同一幅のコンタクト部２Ａを形成した。【選択図】  図２
2006313703.tif 000002
【特許請求の範囲】
【請求項１】
フレキシブルプリント基板（ＦＰＣ）が挿入される基板挿入穴を有するオスコネクタハウジングの背面側から前面側のコネクタ挿入穴にかけて形成される基板挿入穴を水平から緩やかに下方に向かい再び水平になるような側面Ｓ字状の溝に形成し、
この基板挿入穴の挿入口近傍にロック突起を形成し、
このロック突起が係合するロック固定穴をＦＰＣに形成し、
前記コネクタ挿入穴に面した基板挿入穴の出口幅よりも広い基板突き当て部をＦＰＣに形成し、
このＦＰＣの基板突き当て部の先に前記出口幅とほぼ同一幅のコンタクト部を形成したことを特徴とするフレキシブルプリント基板のコネクタ接続構造。
【請求項２】
前記基板挿入穴の下方に向かう溝は、ＦＰＣを撓ませるに足る大きさの空間に形成されていることを特徴とする請求項１に記載のフレキシブルプリント基板のコネクタ接続構造。
【請求項３】
前記基板挿入穴の挿入口部分の溝の寸法は、ロック突起高さ寸法にＦＰＣ厚さ寸法を加えた寸法より僅かに大きいことを特徴とする請求項１又は２に記載のフレキシブルプリント基板のコネクタ接続構造。
【請求項４】
前記ロック突起とＦＰＣのロック固定穴との嵌合状態を基板挿入穴の挿入口から視認できることを特徴とする請求項１ないし３のいずれか１項に記載のフレキシブルプリント基板のコネクタ接続構造。
【請求項５】
前記基板挿入穴の挿入口近傍に設けたロック突起の近くで対向するように固定リブを設け、この固定リブの高さ寸法は、挿入口寸法からロック突起高さ寸法を引いたものより僅かに大きな寸法に形成することにより、オスコネクタハウジングに対するロックをより確実にするようになっていることを特徴とする請求項１ないし４のいずれか１項に記載のフレキシブルプリント基板のコネクタ接続構造。
【請求項６】
前記コネクタ挿入穴の寸法を、基板挿入穴の出口を基準として、上下異なる寸法にすることで、上下逆向きに誤挿入することを防止することを特徴とする請求項１ないし５のいずれか１項に記載のフレキシブルプリント基板のコネクタ接続構造。
【請求項７】
前記オスコネクタハウジングが、基板挿入穴の溝に沿った上部と下部とに分割できる構造であることを特徴とする請求項１ないし６のいずれか１項に記載のフレキシブルプリント基板のコネクタ接続構造。
【請求項８】
前記オスコネクタハウジングが、基板挿入穴の出口近傍の水平な溝に沿って上部と下部とに分割できる構造であることを特徴とする請求項１ないし６のいずれか１項に記載のフレキシブルプリント基板のコネクタ接続構造。
【請求項９】
前記ＦＰＣに施したコンタクト用パタンをコネクタのオス端子として用いることを特徴とする請求項１ないし８のいずれか１項に記載のフレキシブルプリント基板のコネクタ接続構造。
【請求項１０】
前記コネクタ挿入穴に挿入されるメスコネクタハウジングのメス端子をＹ字型として前記ＦＰＣのコンタクト部を挿入したことを特徴とする請求項９に記載のフレキシブルプリント基板のコネクタ接続構造。
【発明の詳細な説明】
【技術分野】
【０００１】
本発明は、フレキシブルプリント基板（ＦＰＣ）の接続部とＦＰＣ用コネクタとを電気的かつ機械的に接続するフレキシブルプリント基板のコネクタ接続構造に関する。
【背景技術】
【０００２】
従来のＦＰＣのコネクタ接続構造としては、図２０に示すように、フレキシブルプリント基板（ＦＰＣ）１００のコネクタ接続部１０１をコネクタ本体１０３の挿入穴１０４に挿入し、ロック部材１０５を想像線の位置から実線の位置へ回動し、ロック部材１０５の突部１０６がコネクタ接続部１０１の幅方向の両側に設けた突部１０２に突き当たるときはコネクタ接続部１０１が挿入穴１０４内へ適正に挿入されていないと認識し、このような状態ではないときは適正に挿入されていると認識できるようにしたものである（特許文献１参照）。
【特許文献１】特開２００１−２９１９７９号公報（１頁、図２）
【発明の開示】
【発明が解決しようとする課題】
【０００３】
しかしながら、従来方式では、ロック部材を可動式にするために、コネクタ構造が複雑となり部品点数が多くなり、コスト的にも不利であるという問題があった。また、コネクタ接続作業者は、基板挿入工程の後に、ロック部材を稼働して穴に挿入する工程が生じ、２アクションの作業となる問題もある。
【０００４】
そこで、本発明は、ＦＰＣにコネクタを取付ける作業をワンアクションで行え、しかも確実な接続を図り、コネクタの構造もシンプルなＦＰＣのコネクタ接続構造を提供することを目的とする。
【課題を解決するための手段】
【０００５】
上述の目的を達成するため、本発明は、フレキシブルプリント基板（ＦＰＣ）が挿入される基板挿入穴を有するオスコネクタハウジングの背面側から前面側のコネクタ挿入穴にかけて形成される基板挿入穴を水平から緩やかに下方に向かい再び水平になるような側面Ｓ字状の溝に形成し、この基板挿入穴の挿入口近傍にロック突起を形成し、このロック突起が係合するロック固定穴をＦＰＣに形成し、前記コネクタ挿入穴に面した基板挿入穴の出口幅よりも広い基板突き当て部をＦＰＣに形成し、このＦＰＣの基板突き当て部の先に前記出口幅とほぼ同一幅のコンタクト部を形成したものである。
【発明の効果】
【０００６】
本発明は、フレキシブルプリント基板（ＦＰＣ）が挿入される基板挿入穴を有するオスコネクタハウジングの背面側から前面側のコネクタ挿入穴にかけて形成される基板挿入穴を水平から緩やかに下方に向かい再び水平になるような側面Ｓ字状の溝に形成し、この基板挿入穴の挿入口近傍にロック突起を形成し、このロック突起が係合するロック固定穴をＦＰＣに形成し、前記コネクタ挿入穴に面した基板挿入穴の出口幅よりも広い基板突き当て部をＦＰＣに形成し、このＦＰＣの基板突き当て部の先に前記出口幅とほぼ同一幅のコンタクト部を形成したので、ＦＰＣを単にコネクタハウジングに挿入するというワンアクションで確実に接続することができる。また、コネクタハウジングの構造もシンプルである。
【発明を実施するための最良の形態】
【０００７】
以下に本発明の実施形態を図面を参照にして説明する。
【０００８】
図１では、オスコネクタハウジング１にＦＰＣ２を挿入した状態の斜視図を示し、この図１におけるＡで示す個所で切断した図を図２に示す。図２において、オスコネクタハウジング１の背面側にＦＰＣ２の基板挿入穴３が形成してある。前面側には後述するメスコネクタハウジング１０を挿入するためのコネクタ挿入穴４を形成してある。ＦＰＣ２の先端側はコンタクト部２Ａになっている。なお基板挿入穴３の内部で挿入口近傍にはロック突起５が形成してある。図３は図４に示す断面個所Ｂを示す斜視図であり、図４において、ＦＰＣ２に形成されたロック固定穴２Ｂがオスコネクタハウジング１の基板挿入穴３に形成されたロック突起５に係合した状態を示す。ロック突起５がロック固定穴２Ｂに嵌まり込んだ状態において、ロック固定穴２Ｂには余裕がある。
【０００９】
前記基板挿入穴３は、図２に示すように、水平に延びた挿入口近傍の溝３Ａの寸法を、ロック突起５の高さにＦＰＣ２の厚さを加えた寸法よりも僅かに大きく形成し、この溝３Ａから緩やかに下方に向かう溝３Ｂ（曲線部分）を、ＦＰＣ２を撓ませることができる大きさの空間を有するものとしてある。ＦＰＣ２は、ＰＥＴ、ＰＥＮ、ポリイミドなどの材料に導体パタンを施したものであり、可撓性を有する。このＦＰＣ２の可撓性を利用してＦＰＣ２のロック固定穴２Ｂとロック突起５とを嵌合させるため、前記溝３Ｂの個所でＦＰＣ２を撓ませることができるようにしたものである。さらに、この溝３Ｂから先は再び水平に延びた溝３Ｃを形成し、コネクタ挿入穴４に向けて開口する。この溝３Ｃは、ＦＰＣ２の厚さより若干大きい寸法のものである。なお、ロック突起５の形成個所は、挿入口に近く、ロック固定穴２Ｂとの嵌合状態を視認できる個所が好ましい。また、この実施形態では、２ヶ一対のロック突起５を形成したが、それ以上形成してもよく、その場合はロック固定穴２Ｂも対応する数にする。すなわち、ＦＰＣ２とオスコネクタハウジング１とのロック個所は１ヶ所のみならず２ヶ所以上あってもよい。
【００１０】
図５は図６の断面の切口Ｃを示す斜視図である。図６ではＦＰＣ２の基板突き当て部２Ｃを示す。この基板突き当て部２Ｃが、基板挿入穴３の出口に衝突し、それ以上のＦＰＣ２の挿入を阻止する。
【００１１】
図７は図２の断面に対応するメスコネクタハウジング１０を示し、電線１１がメス端子１２に接続してあり、このメス端子１２がＦＰＣ２のコンタクト部２Ａと電気的に接続する。この例では、Ｙ字型のメス端子１２に、ＦＰＣ２のコンタクト部２Ａにコンタクト用パタンを施し、このパタンをオス端子として挿入した。
【００１２】
前記コネクタ挿入穴４の寸法を基板挿入穴３の出口を基準として、上下異なる寸法に形成してある。コネクタ挿入穴４に挿入されるメスコネクタハウジング１０のメス端子１２も上下均等の位置ではなく、ＦＰＣ２のコンタクト部２Ａの位置に対応するようにメスコネクタハウジング１０の下方に設けてある。したがって、メスコネクタハウジング１０をコネクタ挿入穴４に上下逆向きに誤挿入することを防止できる。
【００１３】
図８ないし図１２はＦＰＣ２を基板挿入穴３へ挿入していく状態を夫々示す断面であり、図８はＦＰＣ２の挿入前の断面を示し、図９は、コネクタ挿入穴４近くまでＦＰＣ２のコンタクト部２Ａを差し込んだ状態を示す断面である。図１０はロック突起５にロック固定穴２Ｂが嵌まり込もうとする寸前の断面を示す。図１１はこのロック突起５にロック固定穴２Ｂが嵌まり込んだ状態を示す断面であり、図１２はロック固定穴２Ｂの大きさがロック突起５よりも大きいために撓み分が僅かに戻ってＦＰＣ２がオスコネクタハウジング１に接続した状態を示すものである。この図１２に示す状態ではＦＰＣ２の撓み部分が元に戻り、突き当て部分とロック部分との間で応力がかかり、オスコネクタハウジング１にＦＰＣ２がロックされた状態となる。図１３は、オスコネクタハウジング１内でのＦＰＣ２の状態を示す斜視図である。
【００１４】
図１４はＦＰＣ２のオスコネクタハウジング１内におけるロック個所の断面を正面から見た図である。ここではロック突起５の先端から基板挿入穴３の底部までの寸法をｘ、基板挿入穴３の全体の開口幅をｙとし、ＦＰＣ２はロック突起５によりロックされた状態を示している。これに対し、図１５では基板挿入穴３の内部にｚの寸法を持った固定リブ６を設けることにより、ＦＰＣ２のロック状態を確実なものにし、誤って引き抜かれることを防止するようにしたものである。この固定リブ６の寸法ｚは、基板挿入穴３の寸法ｙからロック突起５の突出長さｘを引いたものより僅かに大きな寸法としてある。
【００１５】
なお、ＦＰＣ２をオスコネクタハウジング１から引き抜くには、図１７ないし図１９に示すように引き抜き治具７を用いてＦＰＣ２をオスコネクタハウジング１の基板挿入穴３から引き抜くことができる。この治具７により図１８に示すようにＦＰＣ２を下方に押し込み、撓み部分で撓ませてロック突起５からロック固定穴２Ｂを外すことができる。ロックが外れた状態で図１９に示すようにＦＰＣ２を引き抜くことができる。
【００１６】
前記オスコネクタハウジング１は、金型を用いて樹脂成形品で実現する場合、上部と下部とに２分割された２つの部品で実現することができ、金型数や金型費用の面で有利となる。オスコネクタハウジング１の分割は、基板挿入穴３の溝に沿った分割、水平な溝３Ｃに沿った分割（図５のＣの個所）などが考えられる。
【図面の簡単な説明】
【００１７】
【図１】オスコネクタハウジングの背面側から見た斜視図。
【図２】図１に示すＡの個所での断面図。
【図３】図４の断面個所を示す斜視図。
【図４】図３のＢの個所での断面図。
【図５】図６の断面個所を示す斜視図。
【図６】図５のＣの個所での断面図。
【図７】オスコネクタハウジングに接合されるメスコネクタハウジングの断面図。
【図８】ＦＰＣ挿入前の断面図。
【図９】ＦＰＣを基板挿入穴へ途中まで挿入した状態の断面図。
【図１０】ＦＰＣのロック寸前の断面図。
【図１１】ＦＰＣがロックした状態の断面図。
【図１２】ＦＰＣの撓み部分が僅かに戻って完全にロックされた状態の断面図。
【図１３】オスコネクタハウジングへ挿入された状態のＦＰＣを示す斜視図。
【図１４】ＦＰＣがロック突起にロックされた状態における基板挿入穴を正面から見た断面図。
【図１５】他の実施形態を示す図１４と同様の断面図。
【図１６】図１５における側面側からの断面図。
【図１７】ＦＰＣをオスコネクタハウジングから引き抜く時の説明的断面図。
【図１８】引き抜き治具を押し込んでＦＰＣのロックを解除した状態の断面図。
【図１９】ＦＰＣを引き抜く状態の断面図。
【図２０】従来例を示す断面図。
【符号の説明】
【００１８】
１    オスコネクタハウジング
２    フレキシブルプリント基板（ＦＰＣ）
２Ａ  コンタクト部
２Ｂ  ロック固定穴
２Ｃ  基板突き当て部
３    基板挿入穴
４    コネクタ挿入穴
５    ロック突起
【図１】
2006313703.tif 000003
【図２】
2006313703.tif 000004
【図３】
2006313703.tif 000005
【図４】
2006313703.tif 000006
【図５】
2006313703.tif 000007
【図６】
2006313703.tif 000008
【図７】
2006313703.tif 000009
【図８】
2006313703.tif 000010
【図９】
2006313703.tif 000011
【図１０】
2006313703.tif 000012
【図１１】
2006313703.tif 000013
【図１２】
2006313703.tif 000014
【図１３】
2006313703.tif 000015
【図１４】
2006313703.tif 000016
【図１５】
2006313703.tif 000017
【図１６】
2006313703.tif 000018
【図１７】
2006313703.tif 000019
【図１８】
2006313703.tif 000020
【図１９】
2006313703.tif 000021
【図２０】
2006313703.tif 000022